(57)【要約】【課題】  左右両側端の穀稈引起し装置の左右外側部に分草体，棒状の補助分草ガイドを立ち上げ立毛穀稈を案内するコンバインにおいて、補助分草ガイドへの穀稈の絡みつきを防止する。【解決手段】  本発明の課題は、分草体（１１，…）のうちの左右両端の分草体（１１，…）に、分草案内板（１１ａ，…）よりも下方から穀稈引起し装置（１２，…）の前面に沿わせて上方へ延出した補助分草ガイド（２３，…）を設け、補助分草ガイド（２３，…）における分草案内板（１１ａ，…）よりも下側の部位から穀稈引起し装置（１２，…）の上部に亘る部位の外周には、補助分草ガイド（２３，…）に対して回転可能な転動パイプ（２４，…）を備えることにより解決される。【選択図】図３
2015008653.tif 000002
【特許請求の範囲】
【請求項１】
機体の前部に植立穀稈を分草する分草体（１１，…）を左右に複数設け、該分草体（１１，１１）の後方に穀稈引起し装置（１２，…）を左右に複数設け、前記分草体（１１，…）は、平面視において三角形状に形成された分草案内板（１１ａ，…）を備えたコンバインにおいて、
前記分草体（１１，…）のうちの左右両端の分草体（１１，…）に、分草案内板（１１ａ，…）よりも下方から前記穀稈引起し装置（１２，…）の前面に沿わせて上方へ延出した補助分草ガイド（２３，…）を設け、該補助分草ガイド（２３，…）における前記分草案内板（１１ａ，…）よりも下側の部位から穀稈引起し装置（１２，…）の上部に亘る部位の外周には、補助分草ガイド（２３，…）に対して回転可能な転動パイプ（２４，…）を備えたことを特徴とするコンバイン。
【請求項２】
前記左右両端の分草体（１１，…）の間に配置される分草体（１１，…）に、前記転動パイプ（２４，…）を備えた補助分草ガイド（２３，…）を設けた請求項１に記載のコンバイン。
【請求項３】
前記転動パイプ（２４）を柔軟な弾性材で構成した請求項１または請求項２に記載のコンバイン。
【請求項４】
前記転動パイプ（２４）に、前記分草案内板（１１ａ）の前面の付着物を掻き取るスクレーパ（２６）を配設した請求項１から請求項３のいずれか１項に記載のコンバイン。
【発明の詳細な説明】
【技術分野】
【０００１】
この発明は、コンバインに関するものである。
【背景技術】
【０００２】
コンバインにおいて、既刈地側に位置する分草体の分草位置から既刈地側に位置する引起しケースの外側部に沿わせて分草後の穀稈を引起しケースの前側面よりも上方へ押し上げ案内する第１分草ガイドと、既刈地側に位置する分草体の分草位置から既刈地側に位置する引起しケースの内側の引起し経路内に向けて分草後の穀稈を誘導案内する第２分草ガイドを設け、倒伏穀稈を起立させながら既刈地側の引起しケースの引起し経路に確実に誘導するようにしたものは、公知である（特許文献１）。
【先行技術文献】
【特許文献】
【０００３】
【特許文献１】特開２０１０−２５２６９３号公報
【発明の概要】
【発明が解決しようとする課題】
【０００４】
背景技術のコンバインの穀稈引起し装置は、第１分草ガイドにより既刈地側に位置する分草体の分草位置から既刈地側に位置する引起しケースの外側部に沿わせて分草後の穀稈を引起しケースの前側面よりも上方へ押し上げ案内し、第２分草ガイドにより既刈地側に位置する分草体の分草位置から既刈地側に位置する引起しケースの内側の引起し経路内に向けて分草後の穀稈を誘導案内する構成であり、これらの第１分草ガイド、第２分草ガイドは単なる棒状構成である。従って、引起し穀稈が倒伏していたり、絡み合っている場合には、第１分草ガイド、第２分草ガイドに巻き付き易く停滞し、穀稈や穂先側部を切断し引起しロスが生じ易いという問題点があった。
【０００５】
そこで、本発明はこのような問題点を解決しようとするものである。
【課題を解決するための手段】
【０００６】
請求項１記載の発明は、機体の前部に植立穀稈を分草する分草体（１１，…）を左右に複数設け、該分草体（１１，１１）の後方に穀稈引起し装置（１２，…）を左右に複数設け、前記分草体（１１，…）は、平面視において三角形状に形成された分草案内板（１１ａ，…）を備えたコンバインにおいて、前記分草体（１１，…）のうちの左右両端の分草体（１１，…）に、分草案内板（１１ａ，…）よりも下方から前記穀稈引起し装置（１２，…）の前面に沿わせて上方へ延出した補助分草ガイド（２３，…）を設け、該補助分草ガイド（２３，…）における前記分草案内板（１１ａ，…）よりも下側の部位から穀稈引起し装置（１２，…）の上部に亘る部位の外周には、補助分草ガイド（２３，…）に対して回転可能な転動パイプ（２４，…）を備えたことを特徴とするコンバインである。
【０００７】
請求項２記載の発明は、前記左右両端の分草体（１１，…）の間に配置される分草体（１１，…）に、前記転動パイプ（２４，…）を備えた補助分草ガイド（２３，…）を設けた請求項１に記載のコンバインである。
【０００８】
請求項３記載の発明は、前記転動パイプ（２４）を柔軟な弾性材で構成した請求項１または請求項２に記載のコンバインである。
請求項４記載の発明は、前記転動パイプ（２４）に、前記分草案内板（１１ａ）の前面の付着物を掻き取るスクレーパ（２６）を配設した請求項１から請求項３のいずれか１項に記載のコンバインである。
【発明の効果】
【０００９】
請求項１記載の発明によると、補助分草ガイド（２３，…）における分草案内板（１１ａ，…）よりも下側の部位から穀稈引起し装置（１２，…）の上部に亘る部位の外周には、補助分草ガイド（２３，…）に対して回転可能な転動パイプ（２４，…）を備えているので、機体の左右両端の分草体（１１，…）によって分草された後、穀稈引起し装置（１２，…）によって引起される際に、穀稈の穂先側の部位が補助分草ガイド（２３，…）に係合していたとしても、転動パイプ（２４，…）が穀稈の引起し抵抗に応じて回転して接触対応し穀稈の縺れをほぐしながら引き起し、穀稈や穂先側部の切断を抑制し引起しロスを抑制することができる。
【００１０】
請求項２記載の発明によると、請求項１記載の発明による効果に加えて、左右両端の分草体（１１，…）の間に配置される分草体（１１，…）に前記転動パイプ（２４，…）を備えた補助分草ガイド（２３，…）を設けているので、転動パイプ（２４，…）の回転により、左右中央寄りの引起し穀稈の引起しロスを抑制することができる。
【００１１】
請求項３記載の発明によると、請求項１または請求項２記載の発明による効果に加えて、転動パイプ（２４）を柔軟な弾性材で構成したので、引起し穀稈が倒伏していたり絡み合っている場合にも、左右補助分草ガイド（２３，２３）に回転可能に取り付けられている柔軟材で構成されている左右転動パイプ（２４，２４）が穀稈の引起し抵抗に応じて回転し伸縮しながら円滑に接触対応し、軟弱な穀稈や穂先側の切断を抑制し引起しロスの抑制効果を高めることができる。
【００１２】
請求項４記載の発明によると、請求項１から請求項３のいずれか１項に記載の発明による効果に加えて、分草案内板（１１ａ）の前面の付着物を掻き取るスクレーパ（２６）を配設したので、分草案内板（１１ａ）の前面に付着した泥土等を除去して分草案内板（１１ａ）と穀稈の摺接抵抗を低減することができ、また、転動パイプ（２４）への穀稈の巻き付きや、畔際刈取作業時の分草体（１１）の分草案内板（１１ａ）への雑草の絡み付きを防止することができる。
【図面の簡単な説明】
【００１３】
【図１】コンバインの全体側面図。
【図２】コンバインの全体平面図。
【図３】刈取搬送部の一部省略した側面図。
【図４】刈取搬送部の一部省略した正面図。
【図５】刈取搬送部の一部省略した平面図、側面図。
【図６】刈取搬送部の一部省略した正面図。
【図７】刈取搬送部の一部省略した側面図。
【図８】刈取搬送部の一部省略した側面図、正面図、平面図。
【図９】穀稈集送搬送装置の平面図、側面図。
【図１０】穀稈集送搬送装置の一部省略した切断側面図。
【図１１】穀稈集送搬送装置の一部省略した平面図。
【図１２】穀稈集送搬送装置の伝動部の平面図、側面図。
【発明を実施するための形態】
【００１４】
以下、図面に基づき本発明の実施例について説明する。まず、図１及び図２に基づき本発明を備えたコンバインの全体構成について説明する。
コンバインの走行車台１の下方には左右クローラ走行装置２，２を配設し、走行車台１の右側前部に運転席１０付きの操縦部３を配設し、操縦部３の後側の運転席１０の下方にはエンジンを備えた原動部４を配設し、操縦部３後方には穀粒収納用のグレンタンク５を配設している。走行車台１の左側部に脱穀部６を配設し、走行車台１の前側部全面には刈取搬送部７を昇降自在に設け、脱穀部６及びグレンタンク５の後方に排稾処理装置８を配設している。また、グレンタンク５の後側部に排出オーガ９を設け、グレンタンク５内の穀粒を外部に排出するようにしている。なお、機体の進行方向を基準にして前側,後側,左側,右側と記載している。
【００１５】
次に、図３〜図５に基づき刈取搬送部７の具体構成について説明する。
刈取搬送部７の刈取フレーム２０の後側上部に左右方向に沿うように刈取入力軸（図示省略）を支架し、走行車台１前側部の刈取懸架部に刈取フレーム２０の後側端部を刈取入力軸（図示省略）回りに回動調節自在に支架している。刈取フレーム２０には前側から後側にかけて複数の分草体１１，…、穀稈引起し装置１２，…、穀稈掻込搬送装置１３，刈刃装置１４，左右穀稈集送搬送装置１５，…、穀稈中継ぎ搬送装置（図示省略），穀稈引継ぎ搬送装置（図示省略）を設け、穀稈引継ぎ搬送装置（図示省略）の終端側を脱穀部６のフィードチエン２１（図１に示す）の始端側に臨ませている。
【００１６】
エンジン動力を刈取入力軸（図示省略）に伝達し、刈取入力軸（図示省略）から刈取フレーム２０内の刈取伝動装置（図示省略）を経由して穀稈引起し装置１２，穀稈掻込搬送装置１３，刈刃装置１４，左右穀稈集送搬送装置１５，…，穀稈中継ぎ搬送装置（図示省略），穀稈引継ぎ搬送装置（図示省略）に伝達している。
【００１７】
しかして、刈取搬送部７の前進にともない、分草体１１，…により立毛穀稈を条列毎に分草し、次いで穀稈引起し装置１２，…で立毛穀稈を引起し、次いで左右穀稈掻込搬送装置１３，１３で引起した穀稈を後方左右２か所へ掻き込み搬送し、次いで刈刃装置１４で穀稈の根元側を刈り取る。次いで、刈り取られた穀稈を左右穀稈集送搬送装置１５，…で左右から中央部へ集送搬送し、合流した穀稈を穀稈中継ぎ搬送装置（図示省略）及び穀稈引継ぎ搬送装置（図示省略）を経由して脱穀部６のフィードチエン２１へ引き継ぎ搬送する。
【００１８】
次に、図３、図４に基づき穀稈引起し装置１２の補助引起し構成について説明する。
穀稈引起し装置１２，…は前記分草体１１，…の左右一側に並列配置され、条列穀稈を引起すように後上り急傾斜状に配設されていて、引起しケース１２ａ，…に内装している無端状の引起しチエーン１２ｂ，…の所定間隔毎の引起しラグ１２ｃ，…が下端部で突出起立して穀稈を引き起こすように構成されている。
【００１９】
左右両側の引起しケース１２ａ，１２ａの左右両側には左右分草体１１，１１を配設し、該左右分草体１１，１１の前側端部に平面三角形状の後上り傾斜の分草案内板１１ａを設け、左右分草案内板１１ａ，１１ａの左右案内面により分草穀稈を左右後側に案内される。左右内側案内面で左右内側に案内された立毛穀稈は隣接している引起しケース１２ａ，１２ａの下部に案内され、引起しケース１２ａ，１２ａから突出し下側から上側へ移動する引起しラグ１２ｃ，…に引き継がれて引き起こされる。
【００２０】
左右分草体１１，１１の左右分草案内板１１ａ，１１ａから棒状の左右補助分草ガイド２３，２３を立ち上げ、左右補助分草ガイド２３，２３を左右引起しケース１２ａ，１２ａの左右外側上方に沿うように上方に延出している。この左右補助分草ガイド２３，２３を直線状の下部補助分草ガイド２３ａ，２３ａと、下部補助分草ガイド２３ａ，２３ａの上端部から後方へ折り曲げ延出している上部補助分草ガイド２３ｂ，２３ｂとで構成している。
【００２１】
左右分草体１１，１１の分草案内板１１ａ，１１ａの下方部位にこの左右下部補助分草ガイド２３ａ，２３ａの下端部を着脱自在に取り付け、中途部を分草案内板１１ａ，１１ａの中間開口部を通して上方へ延出し、左右下部補助分草ガイド２３ａ，２３ａを左右引起しケース１２ａ，１２ａに沿って上方へ延出し、左右下部補助分草ガイド２３ａ，２３ａの上側ほど側面視で引起しケース１２ａの上側面から離れるように上方へ延出している。そして、左右上部補助分草ガイド２３ｂ，２３ｂを引起しケース１２ａ，１２ａの上端上方を通して後方に延出し、その上側端部を刈取フレーム２０の前側上部に着脱自在に取り付けている。
【００２２】
そして、左右補助分草ガイド２３，２３の直線状の下部補助分草ガイド２３ａ，２３ａにおける左右分草案内板１１ａ，１１ａの下方部位から引起しケース１２ａ，１２ａの引起しラグ１２ｃ，…の引起し範囲にわたり左右転動パイプ２４，２４を回転可能に嵌合装着している。
【００２３】
なお、前記転動パイプ２４を複数に分割構成し、下部補助分草ガイド２３ａにそれぞれ回転自在に取り付けてもよい。
しかして、左右両側の立毛穀稈が左右分草案内板１１ａ，１１ａの上面を通過しながら左右内側に案内され、引起しラグ１２ｃ，…の引き起し作用を受け左右補助分草ガイド２３，２３の転動パイプ２４，２４に沿って上方へ引き起こされる。
【００２４】
そして、引起し穀稈が倒伏していたり、絡み合っている場合にも、左右下部補助分草ガイド２３ａ，２３ａの左右転動パイプ２４，２４が引起し穀稈に回転しながら接触対応し穀稈はほぐされながら引起し抵抗を軽減しながら引き起こされ、穀稈や穂先側部の切断を抑制し引起しロスを抑制することができる。
【００２５】
また、図６に示すように、左右両側に位置している左右分草体１１，１１以外の左右中央部に位置している分草体１１，…，左右分草案内板１１ａ，１１ａ，穀稈引起し装置１２，１２に対しても、前記同様の補助分草ガイド２３，…，転動パイプ２４，…を設けた構成とすると、中央寄りの引起し穀稈の引起しロスの抑制を図り、引起し穀稈全体の引起しロスを抑制することができる。
【００２６】
また、前記転動パイプ２４を例えば柔軟な塩化ビニールで構成すると、倒伏穀稈や絡み合った穀稈に柔軟に接触対応し穀稈を引き千切りにくくなり、引起しロスの抑制効果を高めることができる。
【００２７】
次に、図７について説明する。
補助分草ガイド２３に回転可能に装着している転動パイプ２４における分草案内板１１ａの上面対向空間部にスクレーパ２６を配設し、該スクレーパ２６の下端部を分草案内板１１ａに着脱自在に取り付けている。
【００２８】
しかして、転動パイプ２４への引起し穀稈の巻付を防止し、分草案内板１１ａの上面と転動パイプ２４との間の切断穀稈の停滞を防止し、また、畔際刈取作業時の分草体１１，分草案内板１１ａへの雑草の巻き付きを防止することができる。
【００２９】
次に、図８に基づき補助分草ガイド２３の他の実施例について説明する。
補助分草ガイド２３を直線状の下部分草ガイド２３ａと、下部分草ガイド２３ａの上端から後側に略直角に屈折している上部分草ガイド２３ｂとで構成している。下部分草ガイド２３ａの下端部を分草体１１の分草案内板１１ａの前側端部下方に左右方向のピン２８で枢支連結し、分草案内板１１ａの前側部中央の開口部を通して下部分草ガイド２３ａを立ち上げ、側面視で下部分草ガイド２３ａの上側部を引起しケース１２ａの前側面から上側ほど前後方向に大きく離間するように上方へ延出している。
【００３０】
また、刈取フレーム２０の前側上部からブラケット２９を穀稈引起し装置の引起しケース１２ａの上端部上方を通して前方へ延出し、上部分草ガイド２３ｂの上側端部には左右方向の円弧状長孔２３ｄのある取付部２３ｃを設け、ブラケット２９の前端部に取付部２３ｃを介して左右方向に調節可能に上部分草ガイド２３ｂを縦方向のボルト・ナットで着脱自在に取り付けている。
【００３１】
前記構成によると、補助分草ガイド２３の取付構成を簡単化しながら引起しケース２３ａに対して左右に調節することができ、立毛穀稈の倒伏状態に対応することができる。また、補助分草ガイド２３の上部取付位置を引起しケース２３ａの上端部前方に配置することにより、引起し穀稈の取付部２３ｃとの接触を少なくして穀稈のヘッドロスを少なくし、オペレータの前方視界を良好にすることができる。
【００３２】
次に、図５、図９〜図１１に基づき刈取搬送部７の伝動構成について説明する。
図５に示すように、左右穀稈集送搬送装置１５，１５の左右根元穀稈集送搬送チエーン１５ａ，１５ａを平面視ハ字状に前側開き状に配設し、左右刈取穀稈を左右両側から左右中央に搬送するように構成し、左右根元穀稈集送チエーン１５ａ，１５ａの前端部に穀稈掻込搬送装置１３，…の終端側を連設している。
【００３３】
左右根元穀稈集送チエーン１５ａ，１５ａの終端側に左右刈取駆動軸３１，３１を立設し、図９に示すように左右刈取駆動軸３１，３１の下端部に駆動スプロケット３２，３２をキー３２ａで連結し、左右根元穀稈集送チエーン１５ａ，１５ａを駆動するように構成している。また、左右根元穀稈集送チエーン１５ａ，１５ａの前側部に左右掻込伝動プーリ３３，３３を設けてチエーンで駆動し、左右穀稈掻込搬送装置１３，…を駆動し、左右掻込伝動プーリ３３，３３と一体的に回転する左右下部掻込伝動スプロケット３５，３５により左右中央の穀稈掻込搬送装置１３，１３を駆動するように構成している。
【００３４】
そして、左右刈取駆動軸３１，３１によりキー３２ａ，３２ａ，駆動スプロケット３２，３２を介して左右根元穀稈集送チエーン１５ａ，１５ａを駆動中において駆動スプロケット３２，３２に所定以上の駆動負荷がかかるとキー３２ａ，３２ａが切断損傷するようにし、左右刈取駆動軸３１，３１と駆動スプロケット３２，３２との嵌合接触する伝動部分に例えば二酸化モリブデンを塗布し、キー３２ａ，３２ａの切断損傷時における刈取駆動軸３１と駆動スプロケット３２との焼き付きを防止するようにしている。
【００３５】
また、図１２に示すように、前記駆動スプロケット３２を例えばロストワックスで製作し、駆動スプロケット３２の刈取駆動軸３１に嵌合接触する内周部に例えば３か所の凹状のグリス溜り３６，…を構成し、グリス溜り３６，…にグリスを充填し、キー３２ａの切断損傷時の焼き付き防止を図っている。
【００３６】
また、駆動スプロケット３２におけるグリス溜り３６，…の下部をＲ形状３７に構成し、凹状のグリス溜り３６，…の上部にＯリング挿入用の溝３８を設け、溝３８にＯリングを挿入し、グリス溜り３６，…の上側から塵埃や水の侵入を防止し、また、駆動スプロケット３２の下方にグリスが漏れないようにし、キー３２ａの切断損傷時の焼き付き防止を図っている。
【００３７】
また、駆動スプロケット３２に歯車３２ｂ形状を構成するにあたり、歯車３２ｂの歯底から歯先の先端部に向けて直線状部３２ｃａで構成し、負荷がかかった際にチエーンが歯飛びしやすくし、キー３２ａへの過剰な負荷を減らすように構成している。
【００３８】
また、根元穀稈集送チエーン１５ａの過負荷時に駆動スプロケット３２の歯車３２ｂの歯飛びをさせ負荷を減少するようにした構成において、図５，図９，図１１に示すように、根元穀稈集送チエーン１５ａの背面側にはテンションアーム４１の先端に軸支したテンションローラ４１ａをバネ４２により押圧している。該テンションアーム４１の退避側にストッパ４３を設け、該ストッパ４３の基部をテンションアーム４１の支持軸４１ｂに軸支し、支持軸４１ｂの上下から締め付けて固定している。そして、ストッパ４３のテンションアーム４１との当接部４３ａには干渉部材４４を着脱自在に嵌合して取り付け、干渉部材４４の破損時に交換できるようにしている。
【００３９】
しかして、退避回動するテンションアーム４１の側面にストッパ４３，干渉部材４４が当接して可動範囲を規制し、テンションアーム４１のバネ４２による押圧力を通常の場合よりも弱く設定し、過負荷時の歯飛びを容易にしている。
【００４０】
前記構成によると、根元穀稈集送チエーン１５ａの歯飛び時にテンションアーム４１が根元穀稈集送チエーン１５ａの挙動により弾かれてチエーンより退避回動する際に、ストッパ４３ａに規制されて所定距離以上の退避が阻止され根元穀稈集送チエーン１５ａの脱線を防止することができる。
【００４１】
なお、テンションアーム４１を基部テンションアームと先端テンションアームとに分割構成し、基部テンションアームの先端側と先端テンションアームの基端側とをテンションアーム４１の回動方向に回動調節可能に軸支し、基部テンションアームに対して先端テンションアームを回動調節し、テンションアーム４１の押圧力を調節するようにすると、テンションアーム４１の耐久性を高めることができる。
【００４２】
また、図示省略したが、前記テンションアーム４１の退避回動をストッパ４３の当接部４３ａに当接規制するにあたり、テンションアーム４１の支持軸４１ｂに干渉部材４４の長孔を係合し干渉部材４４を上下方向に移動自在に支持し、干渉部材４４の下側部にテンションアーム４１が当接するようにすると、干渉部材４４が破損した場合にも、干渉部材４４の上側部分が自重で下方へ移動してテンションアーム４１に当接可能となり、干渉部材４４の耐久性を高めることができる。
【００４３】
また、テンションアーム４１の退避回動をストッパ４３の当接部に当接規制するにあたり、ストッパ４３の規制位置は新品の根元穀稈集送チエーン１５ａの歯飛びする位置よりも少し余裕を設け、新品の根元穀稈集送チエーン１５ａの１リンク短いチエーンは組み付け不能な位置とすると、根元穀稈集送チエーン１５ａの歯飛び時の振動を少なくし穀稈を円滑に搬送することができる。
【００４４】
また、根元穀稈集送チエーン１５ａにはテンションアーム４１のテンションローラ４１ａを圧接し、根元穀稈集送チエーン１５ａを緊張状態で穀稈の根元側を搬送するように構成し、テンションアーム４１の近傍には駆動停止センサ（図示省略）を設け、駆動スプロケット３２のキー３２ａが切断損傷し根元穀稈集送チエーン１５ａの駆動が停止しテンションアーム４１が張り側に移動し駆動停止センサ（図示省略）が根元穀稈集送チエーン１５ａの停止を検出すると、コントローラ（図示省略）のエンジン駆動停止指令に基づきエンジンを停止するようにし、駆動部の損傷を防止するように構成してもよい。
【００４５】
また、根元穀稈集送チエーン１５ａの駆動スプロケット３２にスプロケット回転センサ（図示省略）を設け、刈取入力プーリに刈取回転センサ（図示省略）を設け、スプロケット回転センサが回転停止検出をし、刈取回転センサが回転検出をしている場合には、コントローラはキー３２ａの切断損傷による根元穀稈集送チエーン１５ａの駆動停止と判定し、エンジンの駆動を停止し、操作表示部に故障内容を表示するようにしてもよい。
【符号の説明】
【００４６】
１１    分草体
１１ａ  分草案内板
１２    穀稈引起し装置
２３    補助分草ガイド
２４    転動パイプ
２６    スクレーパ
【図１】
2015008653.tif 000003
【図２】
2015008653.tif 000004
【図３】
2015008653.tif 000005
【図４】
2015008653.tif 000006
【図５】
2015008653.tif 000007
【図６】
2015008653.tif 000008
【図７】
2015008653.tif 000009
【図８】
2015008653.tif 000010
【図９】
2015008653.tif 000011
【図１０】
2015008653.tif 000012
【図１１】
2015008653.tif 000013
【図１２】
2015008653.tif 000014